【手続補正書】
【提出日】平成19年9月10日(2007.9.10)
【手続補正１】
【補正対象書類名】明細書
【補正対象項目名】特許請求の範囲
【補正方法】変更
【補正の内容】
【特許請求の範囲】
【請求項１】  ネットワーク媒体を介して別のネットワーク送受信機から変調キャリア信号を受信するよう構成されたネットワーク受信機であって、
ａ）  複数の増幅器利得設定のうち１つに従い、受信された変調キャリア信号を増幅し、増幅されたキャリア信号を出力するための入力増幅器と、
ｂ）  前記増幅されたキャリア信号に応答して包絡線信号を出力するよう構成された包絡線検波器と、
ｃ）  前記包絡線信号に応答して第１の利得設定を選択するよう構成された第１の利得制御回路とを含み、前記第１の利得設定はパルス位置変調キャリア信号を受信するのに最適であり、前記ネットワーク受信機はさらに
ｄ）  前記包絡線信号に応答して第２の利得制御設定を選択するよう構成された第２の利得制御回路を含み、前記第２の利得設定は直交振幅変調信号を受信するのに最適であり、前記ネットワーク受信機はさらに
ｅ）  前記包絡線信号がパルス位置変調キャリアを表わすのか、または振幅変調キャリアを表わすのかを判断し、前記増幅器利得設定をそれぞれ前記第１の利得設定に設定するか、または第２の利得設定に設定するかを判断するよう構成された、選択回路を含む、ネットワーク受信機。
【請求項２】  前記増幅されたキャリア信号に応答してデジタルキャリア信号を発生するアナログ−デジタル変換器をさらに含み、前記包絡線検波器は前記デジタルキャリア信号に応答する、請求項１に記載のネットワーク受信機。
【請求項３】  前記増幅されたキャリア信号に応答してデジタルＩチャネルキャリア信号およびデジタルＱチャネルキャリア信号を発生するヒルベルト変換器をさらに含み、前記包絡線検波器は、前記デジタルＩチャネルキャリア信号および前記デジタルＱチャネルキャリア信号に応答する、請求項２に記載のネットワーク受信機。
【請求項４】  前記選択回路は、前記包絡線信号の中の電力パルスの持続時間を検出するためのキャリアセンス回路を含む、請求項３に記載のネットワーク受信機。
【請求項５】  前記選択回路は、電力パルスの持続時間がパルス位置変調電力パルスの持続時間のオーダの持続時間未満である場合に前記第１の利得設定を選択する、請求項４に記載のネットワーク受信機。
【請求項６】  前記選択回路は、電力パルスの持続時間がパルス位置変調電力パルスの持続時間のオーダの持続時間よりも大きい場合に前記第２の利得設定を選択する、請求
項５に記載のネットワーク受信機。
【請求項７】  前記包絡線信号は、前記Ｉチャネルキャリア信号の平方と、前記Ｑチャネルキャリア信号の平方との和の平方根を表わす、請求項６に記載のネットワーク受信機。
【請求項８】  前記第１の利得制御回路は複数の比較器を含み、各々の比較器は前記包絡線信号を複数の参照信号のうち１つと比較するよう構成され、前記第１の利得設定は、複数の利得設定の各々を反復的にテストする際に少なくとも１つの比較器の飽和を検出することにより決定される、請求項７に記載のネットワーク受信機。
【請求項９】  前記第２の利得制御回路は、前記包絡線信号を表わす対数信号を発生する対数ルックアップテーブルと、前記対数信号を参照信号と比較して差信号を発生する比較器と、前記差信号をループ利得定数で乗じて積を発生する乗算器と、前記積を積分して前記第２の利得設定を発生する積分器とを含む、請求項８に記載のネットワーク受信機。
【請求項１０】  前記ループ利得定数は、検出された電力パルスの第１の部分のためには或る大きな値、検出された電力パルスの第２の部分のためにはより小さな値、および検出された電力パルスの残りの持続時間のためには０となるよう選択される、請求項９に記載のネットワーク受信機。
【請求項１１】  ネットワーク媒体から変調キャリア信号を受信するよう構成された受信機において、増幅されたキャリア信号を発生する入力増幅器のための利得設定を決定する方法であって、
ａ）  前記増幅されたキャリア信号の電力を表わす前記増幅されたキャリア信号から包絡線信号を発生するステップと、
ｂ）  前記包絡線信号に応答して第１の利得設定を決定するステップとを含み、前記第１の利得設定はパルス位置変調キャリア信号を受信するために選択され、前記方法はさらに
ｃ）  前記包絡線信号に応答して第２の利得設定を決定するステップを含み、前記第２の利得設定は直交振幅変調キャリア信号を受信するために選択され、前記方法はさらに
ｄ）  前記変調キャリア信号がパルス位置変調キャリアであるか、または直交振幅変調キャリアであるかを判断するステップと、
ｅ）  前記変調キャリア信号がパルス位置変調キャリアであると判断された場合に前記入力増幅器の利得を前記第１の利得設定に設定し、前記変調キャリア信号が直交振幅変調キャリアであると判断された場合に前記入力増幅器利得を前記第２の利得設定に設定するステップとを含む、方法。
【請求項１２】  前記増幅されたキャリア信号をデジタルキャリア信号へと変換するステップをさらに含み、前記包絡線信号は前記デジタルキャリア信号から発生される、請求項１１に記載の方法。
【請求項１３】  前記デジタルキャリア信号からＩチャネル信号およびＱチャネル信号を発生するステップをさらに含み、前記包絡線信号は前記Ｉチャネル信号および前記Ｑチャネル信号から発生される、請求項１２に記載の方法。
【請求項１４】  前記入力増幅器の利得を設定する前記ステップは、前記包絡線信号の中の電力パルスの持続時間を検出するステップを含む、請求項１３に記載の方法。
【請求項１５】  電力パルスの持続時間がパルス位置変調電力パルスの持続時間のオーダの持続時間未満である場合に前記入力増幅器の利得は前記第１の利得設定に設定される、請求項１４に記載の方法。
【請求項１６】  電力パルスの持続時間がパルス位置変調電力パルスの持続時間のオーダの持続時間よりも大きい場合に前記入力増幅器の利得は前記第２の利得設定に設定される、請求項１５に記載の方法。
【請求項１７】  前記包絡線信号は、前記Ｉチャネル信号の平方と前記Ｑチャネル信号の平方との和の平方根を表わす、請求項１６に記載の方法。
【請求項１８】  前記第１の利得設定は、前記包絡線信号を複数の参照レベルと比較
し、複数の利得設定の各々を、少なくとも１つの参照レベルで飽和が生じているかどうかに関し反復的にテストして前記第１の利得設定を決定することにより決定される、請求項１７に記載の方法。
【請求項１９】  前記第２の利得設定は、前記包絡線信号を、前記包絡線信号を表わす対数信号に変換し、前記対数信号を参照レベルと比較して差を求め、前記差をループ利得定数で乗じて積を求め、前記積を積分して前記第２の利得設定を決定することにより決定される、請求項１８に記載の方法。
【請求項２０】  前記ループ利得定数は、検出された電力パルスの第１の部分のためには或る大きな値、検出された電力パルスの第２の部分のためにはより小さな値、および検出された電力パルスの残りの持続時間のためには０となるよう選択される、請求項１９に記載の方法。
【請求項２１】  ネットワーク媒体を介して別のネットワーク送受信機から変調キャリア信号を受信するよう構成されたネットワーク受信機であって、
ａ）  複数の増幅器利得設定のうち１つに従い、受信された変調キャリア信号を増幅し、増幅されたキャリア信号を出力するための入力増幅器と、
ｂ）  第１の変調方法に従って変調されたキャリア信号に基づき、第１の増幅器利得設定を与えるための第１の利得制御回路と、
ｃ）  第２の変調方法に従って変調されたキャリア信号に基づき、第２の増幅器利得設定を与えるための第２の利得制御回路と、
ｄ）  前記キャリア信号を分析し、前記キャリア信号が前記第１の変調方法に従って変調されたか、または前記第２の変調方法に従って変調されたかを自動的に識別し、利得制御信号を前記入力増幅器に与えて、選択回路によって識別される前記変調方法に基づき前記第１の増幅器利得設定または前記第２の増幅器利得設定で前記キャリア信号を増幅するための、選択回路とを含み、前記選択回路は前記包絡線信号の中の電力パルスの持続時間を検出するための包絡線検波回路を含み、前記選択回路は、電力パルスの持続時間がパルス位置変調電力パルスの持続時間のオーダの持続時間未満である場合に、前記第１の増幅器利得設定を前記入力増幅器に結合する利得制御信号を与える、ネットワーク受信機。
【請求項２２】  前記選択回路は、電力パルスの持続時間がパルス位置変調電力パルスの持続時間のオーダの持続時間よりも大きい場合に、前記第２の増幅器利得設定を前記入力増幅器に結合する利得制御信号を与える、請求項２１に記載のネットワーク受信機。